(57)【要約】【課題】引出しスライドレールの自動開放装置構の提供。【解決手段】引出しスライドレールの自動開放装置は筐体のスライドレールに設けた固定台の滑り溝に連結され滑り鉤の移動を提供、引出しに固定するスライドレールの連動棒の圧迫連動および弾性部材の復帰力量は、固定台に回転軸接続の揺りてこの位置決め軸および滑り鉤背面に設ける案内溝、噛み合わせ溝、外部案内分枝溝と外部案内溝の案内に合わせて、引出しは圧力が掛かるときに自動開放の機能を実現できる。また、引出しを開放するとき、引出しに圧力を掛けて、内側にある距離を滑り移動してから、自動開放機能を有する。これにより、引出しは利用者または子供の不注意により誤動作がない。このため、安全性を向上できる。【選択図】図２
0003118277.tif 000002
【実用新案登録請求の範囲】
【請求項１】
引出しの左右両側と筐体の間に設け、引出しのスライドレールは、少なくとも筐体内部引出しを収容する空間内側面の予定場所のスライドレールと引出しに固定する側壁のスライドレールとスリーブなどの部品より構成し筐体を固定する引出し収納空間内部スライドレールの後ろ側に、固定台を設け、引出しを出し入れする、引出しスライドレールの自動開放装置において、
自動開放装置は、一つの滑り鉤を具え、その左右両側の前後端は、対応した前案内棒と後案内棒を設け、固定台の滑り溝内部両側の隣り合う滑り溝内に設け、滑り鉤は固定台の滑り溝にて往復滑り運動し、その前側に下方に傾斜する案内斜面を設け、中央付近部に固定溝およびその固定溝に連結する後ろ係止体を設け、さらに、その前側に固定鉤を設け、バネの一端に連結しておき、そのバネと固定台により鉤設により固定し、その滑り鉤の背面は互いに連絡する案内溝、噛み合わせ溝、外部案内分枝溝、外部案内溝および揺りてこの固定軸を斜面体への進入を案内し、斜面体の前側に連絡する開放溝を設け、前述の案内溝は導入溝、屈折溝と案内溝より構成し、その屈折溝は前述の噛み合わせ溝の一端に連絡し、滑り鉤背面の開放溝は新たに外部案内溝出口に向かい合う案内体を設け、滑り鉤が揺りてこ固定軸の一端を案内するとき、固定軸の一端を斜面体案内体に向かい合わせ、さらに、その滑り鉤背面の外部案内分枝溝は適切な傾斜角度を有する噛み合わせ溝の他端に連絡し、その外部案内分枝溝の前側は、屈折しながら延ばして、外部案内溝前側の適切な位置に連結し、
一つの揺りてこは、後ろ側に固定台の後ろ側の回転軸と回転軸接続し、回転軸回転可能状態にし、その揺りてこ前側に設ける固定軸の一端は滑り鉤背面の下方に設け、その揺りてこの前端は円弧形体を形成し、揺りてこが前述の固定台により回転軸回転するとき、その円弧形体は固定台の壁底面に設ける円弧案内溝により、揺りてこ回転軸回転の安定性を向上でき、
一つの連動体は、引出しが連結固定するスライドレールの前端に設け、溝孔を設けて、その前端の連動棒を形成し、
固定台は、引出しの前後往復出し入れ方向と同じ方向の滑り溝を設け、その滑り溝両側の隣り合う壁面に対照に同一方向の滑り溝を設けて、その滑り溝の後ろ側は上係止面となり、前側は下方に屈折しながら延ばして固定溝を構成し、さらに、その滑り溝後ろ側の隣り合う側壁に、固定溝を設け、バネの他端を鉤設固定し、その滑り溝後ろ側の上方部近傍に係止面を設け、滑り鉤の後ろ係止体により係止め、その固定台の滑り溝内部の壁底面の後ろ側に回転軸を設け、回転軸は揺りてこの回転接続部に回転接続し、固定台背面の両側はさらに案内溝を設け、固定台両側の下固定滑り溝の下部に連絡し、組立のとき、前述の前案内棒と後ろ案内棒の滑り鉤装入に便利なことを特徴とする、引出しスライドレールの自動開放装置。
【考案の詳細な説明】
【技術分野】
【０００１】
本考案は一種の引出しスライドレールの自動開放装置に関わるもので、引出しの自動開放機能を実現する共に、引出しパネル各部分を押すことにより作動するため、操作の便利性がある。空間を取らない、子供などの不注意による誤動作がないため、安全性を向上できる。
【背景技術】
【０００２】
一般の引出しの押すこと自動に開放する装置の機構は、引出し筐体の後ろ壁の中間に一つの開放装置を設ける。引出しパネルを押すことにより、自動に一距離を飛び出して、開放機能を実現する。しかしながら、以下の欠点が存在する。
１. 自動開放装置は中間部に設けることによって、引出しを自動に開放できる。しかし、引出し両側の場所を押したときは作動できない。このため、利用者にとって、便利性を訴える自動開放機能はかえて不便を感じさせる。
２. 自動開放装置は筐体内部の空間を取るため、引出しの利用空間を制限している。
３. 利用者または子供の不注意により引出しに衝撃を与えるとき、誤動作により開放する場合があるため、子供にけがするなど、安全性に影響する。
【考案の開示】
【考案が解決しようとする課題】
【０００３】
本考案者は前記の欠点について、絶えず研究と改良を行った結果、一種の引出しスライドレールの自動開放装置を考案した。
【０００４】
本考案の主な目的は、一種の引出しスライドレールの自動開放装置に関わるもので、筐体のスライドレールに設けた固定台の滑り溝に連結し、滑り鉤の移動に提供、引出しに固定するスライドレールの連動棒の圧迫連動および弾性部材の復帰力量は、固定台に回転軸接続の揺りてこの位置決め軸および滑り鉤背面に設ける案内溝、噛み合わせ溝、外部案内分枝溝と外部案内溝の案内に合わせて、引出しは圧力が掛かるときに自動開放の機能を実現できる。引出し使用完了後、引出しの閉鎖状態に戻して、次回に圧力が掛けられるとき、前記の自動開放機能を繰り返すことができる。
【０００５】
本考案のさらに一つの目的は、一種の引出しスライドレールの自動開放装置を提供することにあり、その滑り鉤背面の噛み合わせ溝の噛み合わせ部から外部案内分枝溝の前端に形成する距離は、滑り鉤が前方に移動し、その距離を超えた後に固定台と回転軸連結する揺りてこの位置決め軸の一端は、噛み合わせ部よりに外部案内分枝溝を経て、外部案内溝に進入し、噛み合わせた開放状態を解除する。利用者は引出しパネルに圧力を掛けるとき、引出しに圧力を掛け、その距離分を内側に滑り移動させてから自動開放できる。利用者または子供などの不注意による衝撃で誤動作がないため、安全性を向上する。
【０００６】
本考案のさらに一つ目的は、一種の引出しスライドレールの自動開放装置を提供することにあり、その自動開放装置すべての構成部材は引出しのスライドレールに取付け、筐体内部の空間を取らない。公知技術の筐体内部に設ける自動開放装置に比べて空間を少なく済む長所がある。
【０００７】
本考案のさらに一つの目的は、一種の引出しスライドレールの自動開放装置を提供することにあり、その自動開放装置は引出しの左右両側と筐体の間に設け、引出しパネルいずれの部分が押されて内側にある距離を滑り移動された後に、自動開放機能が作動し、利用者に操作の利便性を与える。
【課題を解決するための手段】
【０００８】
請求項１の考案は、引出しの左右両側と筐体の間に設け、引出しのスライドレールは、少なくとも筐体内部引出しを収容する空間内側面の予定場所のスライドレールと引出しに固定する側壁のスライドレールとスリーブなどの部品より構成し筐体を固定する引出し収納空間内部スライドレールの後ろ側に、固定台を設け、引出しを出し入れする、引出しスライドレールの自動開放装置において、
自動開放装置は、一つの滑り鉤を具え、その左右両側の前後端は、対応した前案内棒と後案内棒を設け、固定台の滑り溝内部両側の隣り合う滑り溝内に設け、滑り鉤は固定台の滑り溝にて往復滑り運動し、その前側に下方に傾斜する案内斜面を設け、中央付近部に固定溝およびその固定溝に連結する後ろ係止体を設け、さらに、その前側に固定鉤を設け、バネの一端に連結しておき、そのバネと固定台により鉤設により固定し、その滑り鉤の背面は互いに連絡する案内溝、噛み合わせ溝、外部案内分枝溝、外部案内溝および揺りてこの固定軸を斜面体への進入を案内し、斜面体の前側に連絡する開放溝を設け、前述の案内溝は導入溝、屈折溝と案内溝より構成し、その屈折溝は前述の噛み合わせ溝の一端に連絡し、滑り鉤背面の開放溝は新たに外部案内溝出口に向かい合う案内体を設け、滑り鉤が揺りてこ固定軸の一端を案内するとき、固定軸の一端を斜面体案内体に向かい合わせ、さらに、その滑り鉤背面の外部案内分枝溝は適切な傾斜角度を有する噛み合わせ溝の他端に連絡し、その外部案内分枝溝の前側は、屈折しながら延ばして、外部案内溝前側の適切な位置に連結し、
一つの揺りてこは、後ろ側に固定台の後ろ側の回転軸と回転軸接続し、回転軸回転可能状態にし、その揺りてこ前側に設ける固定軸の一端は滑り鉤背面の下方に設け、その揺りてこの前端は円弧形体を形成し、揺りてこが前述の固定台により回転軸回転するとき、その円弧形体は固定台の壁底面に設ける円弧案内溝により、揺りてこ回転軸回転の安定性を向上でき、
一つの連動体は、引出しが連結固定するスライドレールの前端に設け、溝孔を設けて、その前端の連動棒を形成し、
固定台は、引出しの前後往復出し入れ方向と同じ方向の滑り溝を設け、その滑り溝両側の隣り合う壁面に対照に同一方向の滑り溝を設けて、その滑り溝の後ろ側は上係止面となり、前側は下方に屈折しながら延ばして固定溝を構成し、さらに、その滑り溝後ろ側の隣り合う側壁に、固定溝を設け、バネの他端を鉤設固定し、その滑り溝後ろ側の上方部近傍に係止面を設け、滑り鉤の後ろ係止体により係止め、その固定台の滑り溝内部の壁底面の後ろ側に回転軸を設け、回転軸は揺りてこの回転接続部に回転接続し、固定台背面の両側はさらに案内溝を設け、固定台両側の下固定滑り溝の下部に連絡し、組立のとき、前述の前案内棒と後ろ案内棒の滑り鉤装入に便利することを特徴とする、引出しスライドレールの自動開放装置としている。
【考案の効果】
【０００９】
本考案は以下の効果がある。
１. 筐体に設ける外部スライドレール固定台の滑り溝は滑り鉤６の滑り移動を提供し、引出しに固定する内側スライドレールの連動棒の係止め連動およびばねの弾性復帰力は固定台に回転軸接続する揺りてこの固定軸および滑り鉤背面の案内溝、噛み合わせ溝、外部案内分枝溝と外部案の案内により、引出しが押された後自動に開放する機能を実現する。引出し使用完了後、元の位置に戻り、引出し閉合状態となり、次回引出しに押された後、前述の自動開放機能を繰り返す。
２. 滑り鉤背面噛み合わせ溝の噛み合わせ部から外部案内分枝溝までの前端より形成する距離Ａは滑り鉤がその距離Ａを超えないと、固定台と回転軸接続する揺りてこの固定軸の一端は、噛み合わせ部より外部案内分枝溝を経て、外部案内溝に進入し、噛み合わせて状態を切り離し、利用者は引出しパネルを押すとき、引出しに力を掛けることにより、内側にある距離Ａを滑り移動させてから、開放できる。これにより、引出しは利用者または子供の不注意による衝撃で誤動作することなく、安全性を向上できる。
３. 自動開放装置すべての部品は引出しスライドレール内部に取付けため、筐体内部空間を取らない。公知技術の筐体に設ける自動開放装置に比べて、場所を取らない長所がある。
４. 自動開放装置は引出しの左右両側と筐体の間に設けるため、引出しパネルいずれの部分が押されて後ろ側に距離Ａ（図１３、図１５、図１８、図１９）を滑り移動することにより、開放できるため、利用者に便利操作の長所を提供できる。
【考案を実施するための最良の形態】
【００１０】
図１〜図２３に示すものは、本考案の一種の引出しスライドレールの自動開放装置であり、引出し９２( 図７) の左右両側と筐体９１との間に設け、その引出しスライドレール( 図５、６) は内側スライドレール１、中層スライドレール２、外部スライドレール３を内側スライドレール１と中層スライドレール２間に設ける第一滑りスリーブ１０および中層スライドレール２と外部スライドレール３の間に設ける第二滑りライニング( 図示していない) などの部品より構成する。そのうち、内側スライドレール１は引出し９９に連結固定し、外部スライドレール３は筐体９１に連結固定し、かつ、外部スライドレール３の後ろ側に一つの固定台７を連結固定しておく、引出しを外側に引出し、内側に押して閉合させる。
【００１１】
その特徴は、
この自動開放装置は滑り鉤６( 図１、図３、図１３) を設け、その左右両側の前後端は前案内棒６１と後案内棒６２を対照的に設けて、固定台７の滑り溝７０内の両側に隣り合う壁面に設ける滑り溝７０１内に回転軸連結しておく、滑り鉤６は固定台７の滑り溝７０に往復滑り移動させる。さらに、その前側に前部下方に傾斜する案内斜面６３を設け、中央付近部に固定溝６４とその固定溝６４の係止め体６６を設ける。さらに、その前側に固定鉤６５を設け、ばね６０の一端に６０１連結した上、そのばね６０と固定台７と噛み合わせて固定する。その滑り鉤６の背面に案内溝６７１、噛み合わせ溝６７２、外部案内分枝溝６７３、外部案内溝６７４および案内揺りてこ８の固定軸８２が滑り入りする案内斜面体６７５および自己案内斜面体６７５より前側と導通する開放溝６７６を形成する。かつ、前記の導入溝６７１１、屈折溝６７１２と案内溝６７１５より構成し、その屈折溝６７１２は前記の噛み合わせ溝６７２の一端に連結する。
【００１２】
一つの揺りてこ８( 図１、図２、図１４) 、その後部に回転軸接続部８１を設け、固定台７後ろ側の回転軸７００１の回転軸接続面と回転軸回転状態にし、その揺りてこ８前側に設ける固定軸８２の一端の滑り鉤６に設ける。
【００１３】
一つの連動体１１( 図５、図１１、図１４) は内側スライドレール１の前端に連結固定し、溝孔１１０を設け、その前側の連動棒１１１を形成する。
【００１４】
固定台７( 図１、図２) は、引出し９２前後往復出し入れ同方向の滑り溝７０を設け、滑り溝７０の両内側に隣り合う壁面に同一方向の滑り溝７０１を対照に設けて、滑り溝７０１の後ろ側に上係止面７０１１を形成し、前側は下部に曲げながら延ばして、下固定滑り溝７０１２を構成する( 図１１) 。その滑り溝７０の後ろ側の隣り合う壁面に固定溝７０１３をを設け、ばね６０の他端６０２の噛み合わせに便利する；その滑り溝７０は滑り溝７０１付近場所後ろ側の上部に係止面７０２を設け、滑り鉤６の後ろ係止体６６上部の係止めにより、固定台７は滑り溝７０内側底壁面７００に設け、その後ろ側に回転接続軸７００１を設け、回転接続軸７００１は揺りて８回転接続部８１と回転軸接続する。
【００１５】
前記の特徴について、引出し９２が閉合状態のとき( 図７) 、引出し９２に固定連結する内側スライドレール１の連結体１１上の連動棒１１１は滑り鉤６の固定溝６４に位置し、滑り鉤６の前案内棒６１と後ろ案内棒６２は固定台７滑り溝７０１内部の中央付近部に( 図１１) にあり、揺りてこ８の固定軸８２の一端は滑り鉤６背面の噛み合わせ溝６７２の噛み合わせ部６７２１( 図１３) に噛み合わせて、引出し９２の前側面が押されて( 図８) 後ろ側に移動するとき、引出し９２により固定する内側スライドレール１の連動棒１１１が後ろ側へ滑り鉤６の後ろ係止体６６を移動させ、滑り鉤６を後部に移動させ、固定鉤６５はばね６０を後ろ側に引っ張ると同時、固定台７に設ける揺りてこ８固定軸８２の一端は滑り鉤６背面に設ける噛み合わせ溝６７２の噛み合わせ部６７２１より、外部案内分枝溝６７３から外部案内溝６７４に進入し、前記の連動棒１１１が滑り鉤６を滑り溝７０１の後ろ側に移動する同時、滑り溝６背面の外部案内溝６７４は揺りてこ８の固定軸８２の一端を外部  案内溝６７４の後ろ側６７４１( 図１５) に案内し、滑り鉤６はばね６０復帰力の連動に従い、滑り鉤６は前案内棒６１と後ろ案内棒６２により、固定台７の滑り溝７０１を前方向に滑りさせ、前案内棒６１が滑り溝７０１の下固定滑り溝の下固定滑り溝７０１２( 図１６、図１７) に係止めて、連動棒１１１を滑り鉤６の固定溝６４( 図１７) より引き離し、外部に滑り出して開放できる状態になり、自動開放機能を実現する。
【００１６】
図９に示すものは、引出し９２開放後の状態であり、前述の滑り鉤６はばね６０の復帰力により前方へ移動する同時、その背面の外部案内溝６７４も後ろ側に案内され、揺りてこ８固定軸８２の一端は滑り鉤６背面の前部開放溝６７６の前側( 図１９) に位置する。さらに、引出し９２が後ろ側へ元の位置に戻されたとき、固定連結の内側スライドレール１に固定する連動体１１の連動棒１１１により後ろ側の滑り鉤６の後に滑り運動した後、係止体６６によって係止め、滑り鉤６を後ろ側に滑り移動し、その固定鉤６５はバネ６０を後ろ側に引っ張り、滑り鉤６が固定台７の滑り溝７０後ろ側( 図２０、図２１) に係止めと同時に、滑り鉤６背面の案内溝６７１は揺りてこ８固定軸８２の一端は案内溝６７１１へ順番に進入し、屈折溝６７１２により案内溝６７１３後ろ側( 図２２、図２３) に案内する。ばね６０の復帰力により、滑り鉤６を後ろ側に滑り移動させ、揺りてこ８固定軸８２の一端が導入溝６７１の案内溝６７１３により、前方に導いて、噛み合わせ溝６７１２の噛み合わせ部６７２１に案内し、滑り鉤６を噛み合わせて固定するとき( 図１０〜図１３) 、引出し９２の閉合状態に戻り、次回引出し９２が押された後、再度自動開放動作する。
【００１７】
前述の滑り鉤６背面の開放溝６７６はさらに、外部案内溝６７４に向かい合わせる案内体６７４３( 図３、図１３) を設け、滑り鉤６より揺りてこ８の固定軸８２の一端を案内するとき、その固定軸８２の一端は斜面体６７５と向かい合わせる。
【００１８】
さらに、前記の滑り鉤６背面の外部案内分枝溝６７３は適切な傾斜角度の噛み合わせ溝６７２の他端に連結し、その外部案内分枝溝６７３の前側は屈折しながら延ばして、外部案内溝６７４前側の適切場所６７４０に連結する。
【００１９】
さらに、前記の固定台７背面の両側はさらに案内溝７０３を設け、固定台７両側の下固定滑り溝７０１２の下部に連絡する。組立のとき、前案内棒６１と後案内棒６２の滑り鉤６装入を容易にする。
【００２０】
前記の揺りてこ８の前端に円弧形体８２０を形成し、揺りてこ８は前記の固定台７の回転軸７００１より回転軸回転するとき、この円弧形体８２０は固定台７の壁底面に設けた円弧案内溝７００２により滑り移動でき、揺りてこ８回転軸回転の安定性を向上できる。
【００２１】
前述のとおり、本考案は以下の効果がある。
１. 筐体９１に設ける外部スライドレール５固定台７の滑り溝７０１は滑り鉤６の滑り移動を提供し、引出し９２に固定する内側スライドレール１の連動棒１１１の係止め連動およびばね５０の弾性復帰力は固定台７に回転軸接続する揺りてこ８の固定軸８２および滑り鉤６背面の案内溝６７１、噛み合わせ溝６７２、外部案内分枝溝６７３と外部案６７４の案内により、引出し９２が押された後自動に開放する機能を実現する。引出し９２使用完了後、元の位置に戻り、引出し閉合状態となり、次回引出し９２に押された後、前述の自動開放機能を繰り返す。
２. 滑り鉤６背面噛み合わせ溝６７２の噛み合わせ部６７２１から外部案内分枝溝６７３までの前端６７３１より形成する距離Ａは滑り鉤６がその距離Ａを超えないと、固定台７と回転軸接続する揺りてこ８の固定軸８２の一端は、噛み合わせ部６７２１より外部案内分枝溝６７３を屁って、外部案内溝６７４に進入し、噛み合わせて状態を切り離し、利用者は引出し９２パネルを押すとき、引出し９２に力を掛けることにより、内側にある距離Ａを滑り移動させてから、開放できる。これにより、引出し９２は利用者または子供の不注意による衝撃で誤動作することなく、安全性を向上できる。
３. 自動開放装置すべての部品は引出しスライドレール内部に取付けため、筐体９１内部空間を取らない。公知技術の筐体に設ける自動開放装置に比べて、場所を取らない長所がある。
４. 自動開放装置は引出し９２の左右両側と筐体９１の間に設けるため、引出し９２パネルいずれの部分が押されて後ろ側に距離Ａ(図１３、図１５、図１８、図１９) を滑り移動することにより、開放できるため、利用者に便利操作の長所を提供できる。
【図面の簡単な説明】
【００２２】
【図１】本考案実施例における固定台、滑り鉤、ばねと揺りてこの立面分解図である。
【図２】本考案実施例における固定台、滑り鉤、ばねと揺りてこの立面組合せ図である。
【図３】本考案実施例における固定台、滑り鉤、ばねと揺りてこの底面視立面分解図である。
【図４】本考案実施例における固定台、滑り鉤、ばねと揺りてこの底面視立面図である。
【図５】本考案の実施例において、外部スライドレールに設け、スライドレール・スリーブを設けない立面分解図である。
【図６】考案の実施例において、引出しのスライドレール立面図である。
【図７】考案の実施例において、筐体と引出しの立面図である。
【図８】考案の実施例において、筐体と引出しの間に押さえられた状態の立面図である。
【図９】考案の実施例において、筐体と引出しが自動開放後の立面図である。
【図１０】本考案実施例における滑り鉤が噛み合わせ状態の上視平面概略図である。
【図１１】本考案実施例における滑り鉤が噛み合わせ状態の側視平面概略図である。
【図１２】本考案実施例における滑り鉤が噛み合わせ状態の底面視平面概略図である。
【図１３】本考案実施例における滑り鉤が噛み合わせ状態のとき、揺りてこ底面視断面概略図である。
【図１４】本考案実施例における滑り鉤が固定台の滑り溝に移動されたときの上視平面概略図である。
【図１５】本考案実施例における滑り鉤が固定台の滑り溝に移動されたとき、滑り鉤と揺りてこの位置固定軸の底面視断面概略図である。
【図１６】本考案実施例における滑り鉤はばねの力により固定台の滑り溝前側に移動されたときの上視平面概略図である。
【図１７】本考案実施例における滑り鉤はばねの力により固定台の滑り溝前側に移動されたときの側面視平面概略図である。
【図１８】本考案実施例における滑り鉤はばねの力により固定台の滑り溝前側に移動されたときの底面視概略図である。
【図１９】本考案実施例における滑り鉤はばねの力により固定台の滑り溝前側に移動されたとき、揺りてこの位置固定軸の底面視概略図である。
【図２０】本考案実施例における滑り鉤が固定台の滑り溝前面より滑り溝に移動されたとき平面視概略図である。
【図２１】本考案実施例における滑り鉤が固定台の滑り溝前面より後ろ側の滑り溝に移動されたとき側面視概略図である。
【図２２】本考案実施例における滑り鉤が固定台の滑り溝前面より滑り溝の後ろ側に移動されたとき底面視概略図である。
【図２３】本考案実施例における滑り鉤が固定台の滑り溝前面より滑り溝の後ろ側に移動されたときの底面視断面概略図である。
【符号の説明】
【００２３】
１    内側スライドレール
１１１  連動棒
５    スライドレール
５０  ばね
６    滑り鉤
６０  ばね
６０２  他端
６１  前案内棒
６２  後ろ案内棒
６４  溝
６５  固定鉤
６６  後ろ係止体
６７１  導入溝
６７２  噛み合わせ溝
６７２１  噛み合わせ部
６７３  外部案内分枝溝
６７３１  前端
６７４  外部案内溝
６７４０  前側適切場所
６７４３  案内体
６７５  斜面体
６７６  開放溝
６７１２  噛み合わせ溝
６７１３  案内溝
６７２１  噛み合わせ部
７  固定台
７０  滑り溝
７００  壁底面
７０１  滑り溝
７００１  回転軸
７００２  円弧案内溝
７０３  案内溝
７０１１  上係止面
７０１２  下固定滑り溝
７０１３  固定溝
８    揺りてこ
８１  回転接続部
８２  固定軸
８２０  円弧形体
９１  筐体
９２  引出し
【図１】
0003118277.tif 000003
【図２】
0003118277.tif 000004
【図３】
0003118277.tif 000005
【図４】
0003118277.tif 000006
【図５】
0003118277.tif 000007
【図６】
0003118277.tif 000008
【図７】
0003118277.tif 000009
【図８】
0003118277.tif 000010
【図９】
0003118277.tif 000011
【図１０】
0003118277.tif 000012
【図１１】
0003118277.tif 000013
【図１２】
0003118277.tif 000014
【図１３】
0003118277.tif 000015
【図１４】
0003118277.tif 000016
【図１５】
0003118277.tif 000017
【図１６】
0003118277.tif 000018
【図１７】
0003118277.tif 000019
【図１８】
0003118277.tif 000020
【図１９】
0003118277.tif 000021
【図２０】
0003118277.tif 000022
【図２１】
0003118277.tif 000023
【図２２】
0003118277.tif 000024
【図２３】
0003118277.tif 000025